(57)【要約】【課題】判読者が、測定電極の入れ違いがなかったか否かの確認結果を見ることができる、心電図解析装置を提供する。【解決手段】心電図解析装置１００は、心電信号入力部１１０、入違判定部１２０、出力部１５０、および心電データ記憶部１６０を有する。心電信号入力部１１０には、被検者に取り付けた複数の測定電極５０の心電信号が入力される。入違判定部１２０は、入力された心電信号を用いて測定電極５０が入れ違えて取り付けられているか否かを判定する。出力部１５０は、測定電極５０が入れ違えて取り付けられていると判定されたときに、測定電極５０の入れ違いを報知する。心電データ記憶部１６０は、報知に対する確認を示す入力があった場合には、入力された心電信号とともに測定電極５０が確認済みである旨を記憶し、報知に対する確認を示す入力がなかった場合には、入力された心電信号とともに測定電極５０が未確認である旨を記憶する。【選択図】図１
2020130659.tif 000002
【特許請求の範囲】
【請求項１】
被検者に取り付けた複数の測定電極の心電信号が入力される心電信号入力部と、
入力された前記心電信号を用いて前記測定電極が入れ違えて取り付けられているか否かを判定する入違判定部と、
前記測定電極が入れ違えて取り付けられていると判定されたときに、前記測定電極の入れ違いを報知する出力部と、
前記報知に対する確認を示す入力があった場合には、入力された前記心電信号とともに前記測定電極が確認済みである旨を記憶し、前記報知に対する確認を示す入力がなかった場合には、入力された前記心電信号とともに前記測定電極が未確認である旨を記憶する心電データ記憶部と、
を有する心電図解析装置。
【請求項２】
前記心電データ記憶部は、複数のそれぞれの前記被検者に対して、前記心電信号とともに前記測定電極が確認済みである旨または前記測定電極が未確認である旨を累積的に記憶する、請求項１に記載の心電図解析装置。
【請求項３】
前記出力部は、さらに、
前記心電信号とともに前記測定電極が確認済みである旨または前記測定電極が未確認である旨の別を出力する、請求項１に記載の心電図解析装置。
【請求項４】
前記出力部は、さらに、
前記複数の前記被検者の検査結果の一覧に前記測定電極が確認済みである旨または前記測定電極が未確認である旨の別を表示する、請求項２に記載の心電図解析装置。
【請求項５】
前記検査結果の前記一覧における前記測定電極が確認済みである旨または前記測定電極が未確認である旨の別の表示は、前記一覧に文字で表示するか、前記一覧を色別に表示するか、または前記一覧にマークを付けることにより行なう請求項４に記載の心電図解析装置。
【請求項６】
被検者の心電データを取得する心電計と前記心電計により取得した前記心電データを記憶する外部コンピュータとを有し、前記心電計と前記外部コンピュータとは通信できるように構成された心電システムであって、
前記心電計は、
前記被検者に取り付けた複数の測定電極の心電信号が入力される心電信号入力部と、
入力された前記心電信号を用いて前記測定電極が入れ違えて取り付けられているか否かを判定する入違判定部と、
前記測定電極が入れ違えて取り付けられていると判定されたときに、前記測定電極の入れ違いを報知する報知部と、を有し、
前記外部コンピュータは、
前記報知に対する確認を示す入力があった場合には、入力された前記心電信号とともに前記測定電極が確認済みである旨を記憶し、前記報知に対する確認を示す入力がなかった場合には、入力された前記心電信号とともに前記測定電極が未確認である旨を記憶する心電データ記憶部と、
前記心電信号とともに前記測定電極が確認済みである旨または前記測定電極が未確認である旨の別を出力する出力部と、
を有する心電システム。
【請求項７】
前記心電データ記憶部は、複数のそれぞれの前記被検者に対して、前記心電信号とともに前記測定電極が確認済みである旨または前記測定電極が未確認である旨のデータを累積的に記憶する、請求項６に記載の心電システム。
【請求項８】
前記出力部は、
前記複数の前記被検者の検査結果の一覧に前記測定電極が確認済みである旨または前記測定電極が未確認である旨の別を表示する、請求項６に記載の心電システム。
【請求項９】
前記検査結果の前記一覧における前記測定電極が確認済みである旨または前記測定電極が未確認である旨の別の表示は、前記一覧に文字で表示するか、前記一覧を色別に表示するか、または前記一覧にマークを付けることにより行なう請求項８に記載の心電システム。
【発明の詳細な説明】
【技術分野】
【０００１】
本発明は、測定電極の入れ違いがなかったか否かの確認結果を見ることができる、心電図解析装置および心電システムに関する。
【背景技術】
【０００２】
心電図を測定するときには、決められた測定電極を被検者の決められた場所に取り付ける必要がある。しかし、決められた測定電極を被検者の決められた場所に取り付けず、誤って他の測定電極と入れ違って取り付けてしまうようなことが起こりうる。
【０００３】
このため、特許文献１に示すように、測定電極が入れ違って取り付けられている可能性があることを自動的に検出して、画面上に表示したり記録したりすることが従来から行われている。
【先行技術文献】
【特許文献】
【０００４】
【特許文献１】特開２０１８−５１００１３号公報
【発明の概要】
【発明が解決しようとする課題】
【０００５】
測定電極が入れ違って取り付けられたときには、心電技師が、測定電極が入れ違っていることを示す表示や記録を見て、測定電極の入れ違いを正し、再度心電図の測定をすることができる。しかし、心電図を判読するたとえば医師などの判読者は、心電技師が、実際に正しく測定電極を取り付けて心電図を測定したのか、または測定電極の入れ違いを正してから心電図を測定したのかを知ることができない。
【０００６】
また、判読者が判読時に入手可能な心電図だけでは、測定電極を正しく取り付けて測定したものでも、測定電極の入れ違いが正されていない状態で心電図の測定が行われたのではないかと疑われるような場合がある。この場合、判読者はその心電波形が測定電極の入れ違いが正されていないことによるものであるのか、測定電極の入れ違いはないがもともとそのような心電波形であるのかを知ることができない。
【０００７】
そこで、本発明は、測定電極の入れ違いがなかったか否かの確認結果を見ることができる、心電図解析装置および心電システムの提供を目的とする。
【課題を解決するための手段】
【０００８】
本発明の心電図解析装置は、心電信号入力部、入違判定部、出力部、および心電データ記憶部を有する。
【０００９】
心電信号入力部には、被検者に取り付けた複数の測定電極の心電信号が入力される。入違判定部は、入力された心電信号を用いて測定電極が入れ違えて取り付けられているか否かを判定する。出力部は、測定電極が入れ違えて取り付けられていると判定されたときに、測定電極の入れ違いを報知する。心電データ記憶部は、報知に対する確認を示す入力があった場合には、入力された心電信号とともに測定電極が確認済みである旨を記憶し、報知に対する確認を示す入力がなかった場合には、入力された心電信号とともに測定電極が未確認である旨を記憶する。
【００１０】
また、本発明の心電システムは、被検者の心電データを取得する心電計と心電計により取得した心電データを記憶する外部コンピュータとを有し、心電計と外部コンピュータとは通信できるように構成された心電システムである。
【００１１】
心電計は、心電信号入力部、入違判定部、および報知部を有する。
【００１２】
心電信号入力部には、被検者に取り付けた複数の測定電極の心電信号が入力される。入違判定部は、入力された心電信号を用いて測定電極が入れ違えて取り付けられているか否かを判定する。報知部は、測定電極が入れ違えて取り付けられていると判定されたときに、測定電極の入れ違いを報知する。
【００１３】
外部コンピュータは、心電データ記憶部および出力部を有する。
【００１４】
心電データ記憶部は、報知に対する確認を示す入力があった場合には、入力された心電信号とともに測定電極が確認済みである旨を記憶し、報知に対する確認を示す入力がなかった場合には、入力された心電信号とともに測定電極が未確認である旨を記憶する。出力部は、心電信号とともに測定電極が確認済みである旨または測定電極が未確認である旨の別を出力する。
【発明の効果】
【００１５】
本発明の心電図解析装置および心電システムによれば、判読者は、測定電極の入れ違いがなかったか否かの確認結果を見ることができる。判読者は、測定された心電図を見る際に、測定電極が正しい位置に取り付けられて測定されたことがわかる。これにより、判読者は、心電図を信頼して被検者の病状の検査ができ、検査の信頼性が向上する。
【図面の簡単な説明】
【００１６】
【図１】実施形態１の心電図解析装置の概略構成を示すブロック図である。
【図２】実施形態１の心電図解析装置の測定時の動作フローチャートである。
【図３】実施形態１の心電図解析装置の判読時の動作フローチャートである。
【図４】実施形態１の心電図解析装置の判読時の他の動作フローチャートである。
【図５】測定時に表示部が表示する心電図および確認ボタンの表示態様を示す図である。
【図６】測定時に表示部が表示する心電図および確認ボタンの他の表示態様を示す図である。
【図７】判読時に表示部が表示する心電図の表示態様を示す図である。
【図８】判読時に表示部が表示する被検者の一覧の表示態様を示す図である。
【図９】実施形態２の心電システムの概略構成を示すブロック図である。
【発明を実施するための形態】
【００１７】
以下に、本発明の心電図解析装置および心電システムの実施形態について、心電図解析装置を実施形態１として、また心電システムを実施形態２として、それぞれ説明する。
【００１８】
［実施形態１］
＜心電図解析装置の構成＞
図１は、実施形態１の心電図解析装置の概略構成を示すブロック図である。心電図解析装置１００は、心電信号入力部１１０、入違判定部１２０、表示部１３０、および心電データ記憶部１６０を有する。表示部１３０は確認ボタン１４０を表示する。表示部１３０と確認ボタン１４０とで出力部１５０を形成する。
【００１９】
心電信号入力部１１０には、被検者に取り付けた複数の測定電極５０の心電信号が入力される。たとえば、１２誘導心電図を採る場合、心電信号入力部１１０には、被検者の両足首および両手首に取り付けた４個の測定電極５０と胸部に取り付けた６個の測定電極５０の合計１０個の測定電極５０の心電信号が入力される。測定電極５０のそれぞれは、被検者の決められた場所に取り付ける。
【００２０】
入違判定部１２０は、心電信号入力部１１０から入力された心電信号を用いて測定電極５０が入れ違えて取り付けられているか否か（入れ違えて取り付けられた可能性が一定割合よりも高いか否か）を判定する。測定電極５０が被検者の決められた場所に取り付けられていないときに、測定電極５０の入れ違いが起こる。測定電極５０の入れ違いは、各測定電極５０の心電信号を、正常に取り付けられているときの心電信号と比較したり、各測定電極５０間の心電信号の差分を取ったりすることによって判定する。入れ違いの判定手法は、たとえば特許文献１と同様であってもよく、その他の既知の手法であってもよい。
【００２１】
出力部１５０は、表示部１３０と確認ボタン１４０とによって構成され、入違判定部１２０によって測定電極５０が入れ違えて取り付けられていると判定されたときに、測定電極５０の入れ違いを報知する。具体的には、被検者の心電図の測定時、測定電極５０が入れ違えて取り付けられていると判定されたときには、表示部１３０が確認ボタン１４０を表示する。したがって、測定電極５０が入れ違えて取り付けられていないと判定されたときには、表示部１３０は確認ボタン１４０を表示しない。なお、確認ボタン１４０は、測定電極５０の入れ違えが正された後に、心電技師によって押される。なお、上記の例では、確認ボタン１４０を表示部１３０内に表示させているが、確認ボタン１４０は装置筐体上に設けても良い。
【００２２】
また、出力部１５０は、心電信号入力部１１０から入力された心電信号とともに測定電極５０が確認済みである旨または測定電極５０が未確認である旨の別を出力する。具体的には、出力部１５０は、表示部１３０に心電信号入力部１１０から入力された心電信号を心電図として表示させる。同時に出力部１５０は、心電技師が、表示部１３０に表示される確認ボタン１４０を押したときには、測定電極５０が確認済みである旨を、確認ボタン１４０を押さなかったとき（確認ボタン１４０が表示されなかったときも含む）には、測定電極５０が未確認である旨を、それぞれ出力する。したがって、心電技師は、表示部１３０に表示される確認ボタン１４０を押すだけで、測定電極５０の入れ違いが確認済みであることを報知できる。
【００２３】
さらに、出力部１５０は、被検者の心電図の判読時、複数の被検者の検査結果の一覧に測定電極５０が確認済みである旨または測定電極５０が未確認である旨の別を表示する。したがって、医師などの判読者は、どの被検者の測定電極５０が確認済みであるのか確認済みでないのかが一覧により認識できる。検査結果の一覧における測定電極５０が確認済みである旨または測定電極５０が未確認である旨の別の表示は、一覧に文字で表示するか、一覧を色別に表示するか、または一覧にマークを付けることにより行なう。したがって、判読者は、どの被検者の測定電極５０が確認済みであるのか確認済みでないのかを一覧の中から一目で認識できる。
【００２４】
心電データ記憶部１６０は、出力部１５０による報知に対する確認を示す入力があった場合には、入力された心電信号とともに測定電極５０が確認済みである旨を記憶し、報知に対する確認を示す入力がなかった場合には、入力された心電信号とともに測定電極５０が未確認である旨を記憶する。心電データ記憶部１６０は、複数のそれぞれの被検者に対して、心電信号とともに測定電極５０が確認済みである旨または測定電極５０が未確認である旨を累積的に記憶する。このように、複数の被検者の心電信号と測定電極５０の確認済み未確認の別を累積的に記憶すると、被検者ごとに測定電極５０の入れ違いがなかったか否かの確認結果を見ることができるだけでなく、全ての被検者のその確認結果を一目で判読できるようになる。
【００２５】
心電図解析装置１００の構成および各構成要素の機能は以上の通りである。次に、心電図解析装置１００の動作について、図２から図８を参照しながら説明する。
＜心電図解析装置の測定時の動作＞
図２は、実施形態１の心電図解析装置の測定時の動作フローチャートである。心電信号入力部１１０には、被検者に取り付けた測定電極５０からの心電信号が入力される（Ｓ１００）。次に、入違判定部１２０は、測定電極５０の入れ違いを自動判定する（Ｓ１１０）。
【００２６】
入違判定部１２０が測定電極５０の入れ違いがあると判定すると（Ｓ１２０：ＹＥＳ）、表示部１３０は確認ボタン１４０を表示する（Ｓ１３０）。ここで、図５は、測定時に表示部１３０が表示する心電図１４５および確認ボタン１４０の表示態様を示す図である。また、図６は、測定時に表示部１３０が表示する心電図１４７および確認ボタン１４０の他の表示態様を示す図である。測定電極５０の入れ違いがあると判定されたとき、表示部１３０は、たとえば、図５に示すように、心電信号入力部１１０から入力された心電図１４５と確認ボタン１４０とを画面上に表示する。なお、チャンネル１（Ｃ１）とチャンネル２（Ｃ２）の測定電極５０の入れ違いが疑われるのであれば、確認ボタン１４０に、「Ｃ１.Ｃ２測定電極を確認してください。」との注意書きが表示される。また、表示部１３０は、図６に示すように、心電信号入力部１１０から入力された全ての測定電極５０の心電図１４７と確認ボタン１４０とを画面上に表示するようにしても良い。この場合、心電図１４７の上側に、「Ｃ１.Ｃ２測定電極確認」、「自動記録待機中」、「測定電極位置を確認してください。」などの注意書きが表示される。なお、測定電極５０の入れ違いがないと判定されたときには、図５および図６の確認ボタン１４０および注意書きは表示されない。
【００２７】
次に、表示部１３０は、確認ボタン１４０が押されたか否かを判断する（Ｓ１４０）。確認ボタン１４０が押されたら（Ｓ１４０：ＹＥＳ）、心電データ記憶部１６０は、心電信号とともに「測定電極確認済み」を記憶する（Ｓ１５０）。確認ボタン１４０が押されていなければ（Ｓ１４０：ＮＯ）、検査を実施したか否かを判断し（Ｓ１６０）、検査を実施していなければ（Ｓ１６０：ＮＯ）、確認ボタン１４０が押されるまで待つ。一方、入違判定部１２０が測定電極５０の入れ違いがないと判定したとき（Ｓ１２０：ＮＯ）、または検査を実施していれば（Ｓ１６０：ＹＥＳ）、心電データ記憶部１６０は、心電信号とともに「測定電極未確認」を記憶する（Ｓ１７０）。したがって、測定電極５０の入れ違いがあって確認ボタンが押されたときには「測定電極確認済み」となり、測定電極５０の入れ違いがなかったとき、または測定電極５０の入れ違いがあったが確認ボタンが押されずに検査を実施したときには「測定電極未確認」となる。
＜心電図解析装置の判読時の動作＞
図３は、実施形態１の心電図解析装置の判読時の動作フローチャートである。また、図４は、実施形態１の心電図解析装置の判読時の他の動作フローチャートである。
【００２８】
出力部１５０には、心電データ記憶部１６０から心電図とともに測定電極確認済み、未確認が入力される（Ｓ２００）。次に、表示部１３０は、心電信号とともに測定電極確認済み、未確認の別を表示する（Ｓ２１０）。図７は、判読時に表示部１３０が表示する心電図の表示態様を示す図である。表示部１３０は、測定電極５０の入れ違いを確認済みの心電図１４７については、図７に示すように心電図１４７を表示するとともに、その心電図１４７の右下側に「測定電極確認済み」を表示する。医師などの判読者は、「測定電極確認済み」の表示を見て、心電図１４７が測定電極５０の入れ違いがない状態で測定された、信頼できる心電図であることがわかる。医師は、この心電図１４７を信頼して被検者の病状の検査ができる。なお、表示部１３０は、測定電極５０の入れ違いのなかった心電図１４７については、その心電図１４７の右下側に「測定電極確認済み」の代わりに「測定電極未確認」を表示する。医師は、この表示を見て心電図１４７が測定電極５０の入れ違いがない状態で測定された、信頼できる心電図であることがわかる。
【００２９】
表示部１３０は、複数の被検者の検査結果を一覧表示させることもできる。この場合、出力部１５０には、心電データ記憶部１６０から心電図とともに測定電極確認済み、未確認が検査結果として入力される（Ｓ３００）。次に、表示部１３０は、検査結果の一覧に測定電極確認済み、未確認の別を表示する（Ｓ３１０）。図８は、判読時に表示部１３０が表示する被検者の一覧の表示態様を示す図である。表示部１３０は、心電データ記憶部１６０に累積的に記憶されている複数の被検者の検査結果を、図８に示すように一覧表示する。この一覧表示の「確認」の欄に、「測定電極未確認」の場合には、「未」を表示し、「測定電極確認済み」の場合には、「確」を表示する。したがって、判読者は、どの被検者の心電図が確認済みであるのか確認済みでないのかを一覧により認識できる。検査結果の一覧における測定電極５０が確認済みである旨または測定電極５０が未確認である旨の別の表示は、図８のように一覧に文字（「未」または「確」）で表示するか、図８のように一覧を色別（未確認の被検者にたとえばグレーのマーカーを引く）に表示するか、または一覧にマーク（未確認の被検者にたとえばチェックマークやハートマークなどの図形を付ける）を付けることにより行なうこともできる。したがって、判読者は、この一覧を見て、どの被検者の測定電極５０が確認済みであるのか確認済みでないのかを一覧の中から一目で認識できる。
【００３０】
［実施形態２］
＜心電システムの構成＞
図９は、実施形態２の心電システムの概略構成を示すブロック図である。心電システム４００は、心電計２００と外部コンピュータ３００とを有する。心電計２００は、被検者に取り付けた測定電極５０から心電データを取得する。外部コンピュータ３００は心電計２００により取得した心電データを記憶する。心電計２００と外部コンピュータ３００とは相互に通信できる。通信はインターネット回線を介して行っても良いし電話回線を介して行っても良い。通信は有線であっても良いし無線であっても良い。なお、心電計２００は、被検者の心電図を採るものであり心電技師が取り扱う。外部コンピュータ３００は、心電計２００から送られてきた心電図および検査結果の一覧を表示するものであり医師などの判読者が取り扱う。
【００３１】
心電計２００は、心電信号入力部２１０、入違判定部２２０、表示部２３０、および確認ボタン２４０を有する。表示部２３０は確認ボタン２４０を表示する。表示部２３０と確認ボタン２４０とで報知部２５０を形成する。
【００３２】
心電信号入力部２１０、入違判定部２２０、表示部２３０および確認ボタン２４０のそれぞれの機能は、実施形態１の心電図解析装置１００の心電信号入力部１１０、入違判定部１２０、表示部１３０、および確認ボタン１４０と同一である。報知部２５０は、測定電極５０が入れ違えて取り付けられていると判定されたときに、測定電極５０の入れ違いを報知する。
【００３３】
外部コンピュータ３００は、心電データ記憶部３６０と出力部３３０とを有する。心電データ記憶部３６０は、報知部２５０による報知に対する確認を示す入力があった場合には、入力された心電信号とともに測定電極５０が確認済みである旨を記憶し、報知に対する確認を示す入力がなかった場合には、入力された心電信号とともに測定電極５０が未確認である旨を記憶する。また、心電データ記憶部３６０は、複数のそれぞれの被検者に対して、心電信号とともに測定電極５０が確認済みである旨または測定電極５０が未確認である旨のデータを累積的に記憶する。このように、複数の被検者の心電信号と測定電極５０の確認済み未確認の別を累積的に記憶すると、被検者ごとに測定電極５０の入れ違いがなかったか否かの確認結果を見ることができるだけでなく、全ての被検者のその確認結果を一目で判読できるようになる。
【００３４】
出力部３３０は、被検者の心電図の判読時、心電信号とともに測定電極５０が確認済みである旨または測定電極５０が未確認である旨の別を表示する。また、出力部３３０は、複数の被検者の検査結果の一覧に測定電極５０が確認済みである旨または測定電極５０が未確認である旨の別を表示する。したがって、医師などの判読者は、どの被検者の測定電極５０が確認済みであるのか確認済みでないのかが一覧により認識できる。検査結果の一覧における測定電極５０が確認済みである旨または測定電極５０が未確認である旨の別の表示は、実施形態１のように、一覧に文字で表示するか、一覧を色別に表示するか、または一覧にマークを付けることにより行なう。したがって、判読者は、どの被検者の測定電極５０が確認済みであるのか確認済みでないのかを一覧の中から一目で認識できる。なお、出力部３３０は、液晶または有機ＥＬを用いたディスプレイであっても良いし、紙などの記録媒体に印刷するプリンターであっても良い。
＜心電システムの測定時の動作＞
心電システム４００の測定時の動作は、図２に示した実施形態１の心電図解析装置１００の測定時の動作フローチャートの動作と同一である。ただ、１つ異なる動作は、実施形態１の心電図解析装置１００では、心電データ記憶部１６０に、心電信号入力部１１０から入力された心電信号とともに「測定電極確認済み」、または「測定電極未確認」の旨を記憶させているが、心電システム４００の心電計２００は、心電信号入力部２１０から入力された心電信号とともに「測定電極確認済み」、または「測定電極未確認」の旨を外部コンピュータ３００に向けて送信し、外部コンピュータ３００の心電データ記憶部３６０に記憶させていることが異なる。この動作以外、心電計２００の動作は心電図解析装置１００測定時の動作と同一である。
＜心電システムの判読時の動作＞
心電システム４００の判読時の動作は、図３および図４に示した実施形態１の心電図解析装置１００の判読時の動作と同一である。したがって、出力部３３０は、測定電極５０の入れ違いを確認済みのときには、図７のような画像を表示または印刷する。医師などの判読者は、「測定電極確認済み」、「測定電極未確認」の表示を見て、心電図１４７が測定電極５０の入れ違いがない状態で測定された、信頼できる心電図であることがわかる。医師は、この心電図１４７を信頼して被検者の病状の検査ができる。出力部３３０は、図８のように、複数の被検者の検査結果を一覧にして表示または印刷することもできる。したがって、判読者は、どの被検者の心電図が確認済みであるのか確認済みでないのかを一覧により一目で認識できる。
【００３５】
実施形態１および２で例示した心電図解析装置１００および心電システム４００は、測定時には、測定電極５０の入れ違いを自動判定し、入れ違いがあるときには、確認ボタン１４０、２４０を表示して、心電技師に測定電極５０の取り付け位置を確認するように促す。心電技師が測定電極５０の取り付け位置が正しいことを確認したら、確認ボタン１４０、２４０を押してもらい、確認済みである旨を心電信号とともに記憶する。判読時には、心電図とともに心電技師が測定電極５０の取り付け位置を確認したことの履歴を表示、または印刷する。したがって、測定電極５０の入れ違いがなかったか否かの確認結果を見ることができ、判読者は心電図を信頼して被検者の病状の検査ができる。
【００３６】
以上、本実施形態の心電図解析装置１００および心電システム４００について説明した。しかし、本発明の技術的範囲は、上記の実施形態の記載に限定されるものではない。たとえば、測定電極５０の取り付け位置が入れ違っているか否かの確認結果を記憶させておいて、後でその確認結果を見られるようにした装置は、本発明の技術的範囲に含まれる。
【符号の説明】
【００３７】
５０  測定電極、
１００  心電図解析装置、
１１０、２１０  心電信号入力部、
１２０、２２０  入違判定部、
１３０、２３０  表示部、
１４０、２４０  確認ボタン、
１４５、１４７  心電図、
１５０、３３０  出力部、
１６０、３６０  心電データ記憶部、
２００  心電計、
２５０  報知部、
３００  外部コンピュータ、
４００  心電システム。
【図１】
2020130659.tif 000003
【図２】
2020130659.tif 000004
【図３】
2020130659.tif 000005
【図４】
2020130659.tif 000006
【図５】
2020130659.tif 000007
【図６】
2020130659.tif 000008
【図７】
2020130659.tif 000009
【図８】
2020130659.tif 000010
【図９】
2020130659.tif 000011